(57)【要約】      （修正有）【課題】フラットケーブルをより強固に固定できるフラットケーブルコネクタを提供する。【解決手段】両側にそれぞれ突出したラグ２１０があるフラットケーブル２００を前端から差し込み、固定させるフラットケーブルコネクタであって、接続座体１１０、複数の端子、蓋板１２０、及び金属製の一対の留め具１４０を備えてなり、接続座体は、本体部、本体部の底部から前へ伸びた延伸部、本体部の両側にある一対の収納スロットを備える。端子は本体部内に収納され、蓋板は、その底部から下方へ突出した一対のウェッジブロック１２２を備え、留め具は、それぞれ本体部内に固定される保持アーム、及び保持アームから外側へ伸びたストッパー部１４４を備え、蓋板を閉めたとき、一対のウェッジブロックが一対のストッパー部を内側へ押し広げ、ラグ２１０を係止させるように設ける。【選択図】図２
0003161715.tif 000002
【実用新案登録請求の範囲】
【請求項１】
両側にそれぞれ突出した一対のラグが設けられるフラットケーブルを前端から差し込み固定させるためのフラットケーブルコネクタであって、
接続座体と、複数の端子と、蓋板と、一対の留め具と、を備え、
前記接続座体は、複数の端子スロットを備えた本体部と、前記本体部の底部から前方へ伸びた延伸部と、前記本体部の両側に設けられる一対の収納スロットと、を備え、
前記複数の端子は、前記複数の端子スロット内に収納され、
前記蓋板は、前記蓋板を前記接続座体へ回動可能に取りつけるための一対のシャフトと、底部から下方向へ突出した一対のウェッジブロックを備え、
前記一対の留め具は、金属製で、それぞれ前記本体部の前記一対の収納スロット内に嵌入固定される保持アームと、前記保持アームから外側方向へ伸びたストッパー部を備え、
前記蓋板を閉蓋した際、前記一対のウェッジブロックがそれぞれ前記ストッパー部を内側方向へ押し広げ、前記一対のラグをそれぞれ係止するように設けられていることを特徴とするフラットケーブルコネクタ。
【請求項２】
前記接続座体は、前記本体部の両側から前方へ伸びた一対の側壁と、前記延伸部から上方へ突出した一対のガイド部を更に有し、前記一対の収納スロットは、それぞれ前記一対の側壁と前記一対のガイド部の間に設けられ、前記一対のガイド部の形状は、前記フラットケーブルの形状に合わせるように形成されていることを特徴とする請求項１に記載のフラットケーブルコネクタ。
【請求項３】
前記一対の留め具は、前記保持アームの底縁から外側方向へ伸びた溶接固定部を有し、前記溶接固定部は、前記一対の側壁の下方に設けられていることを特徴とする請求項２に記載のフラットケーブルコネクタ。
【請求項４】
前記溶接固定部は、その外縁から上方へ伸びた垂直バンプと、前記垂直バンプ両側の底部に設けられた一対の切込みと、を備えていることを特徴とする請求項３に記載のフラットケーブルコネクタ。
【請求項５】
前記ストッパー部は、前記保持アームから外側方向へ伸びた基部と、前記基部の上部縁から内側へ伸びた曲り部と、Ｌ形をなし、前記曲り部から水平に内側へ伸びた弾性アームと、前記弾性アームの末端から下方へ伸びた仕切り板とを備え、前記蓋板を閉蓋した際、前記ウェッジブロックが前記曲り部と前記弾性アームの間に挿入され、前記仕切り板を内側へ押動させるように設けられていることを特徴とする請求項１に記載のフラットケーブルコネクタ。
【考案の詳細な説明】
【技術分野】
【０００１】
本考案は、フラットケーブルコネクタに関し、特にフラットケーブルと電気的に接続し、固定させる蓋板を有する電気コネクタに関する。  
【背景技術】
【０００２】
従来のフレキシブルフラットケーブルを固定するためのコネクタとして、例えば特許文献１に示すものが開示されている。このコネクタ構造においては、プラスチック本体に突出した一対の固定ブロックを設けると共に、フラットケーブルの両側に、固定ブロックに対応した一対の固定孔が設けられており、固定ブロックと対応する固定孔によってフラットケーブルを固定させている。
【先行技術文献】
【特許文献】
【０００３】
【特許文献１】台湾特許第Ｍ３５９０６５号公報
【考案の概要】
【考案が解決しようとする課題】
【０００４】
しかしながら、上述した従来の電気コネクタは体積が小さい為、固定ブロックの強度が不十分なことから、破損が容易となり、フラットケーブルがコネクタから抜け易いという問題がある。
また、プラスチック本体に固定ブロックを設けることにより、プラスチック本体の金型開発における困難さを増す。  
【０００５】
本考案は、フラットケーブルをコネクタ内部に容易に抜けないようしっかりと固定する該コネクタ構造を提供することを目的とする。
【課題を解決するための手段】
【０００６】
上述の目的を達成させるために、本考案は、両側にそれぞれ突出した一対のラグが設けられるフラットケーブルを前端から差し込み固定させるためのフラットケーブルコネクタであって、接続座体と、複数の端子と、蓋板と、一対の留め具と、を備え、前記接続座体は、複数の端子スロットを備えた本体部と、前記本体部の底部から前方へ伸びた延伸部と、前記本体部の両側に設けられる一対の収納スロットと、を備え、前記複数の端子は、前記複数の端子スロット内に収納され、前記蓋板は、前記蓋板を前記接続座体へ回動可能に取りつけるための一対のシャフトと、底部から下方向へ突出した一対のウェッジブロックを備え、前記一対の留め具は、金属製で、それぞれ前記本体部の前記一対の収納スロット内に嵌入固定される保持アームと、前記保持アームから外側方向へ伸びたストッパー部を備え、前記蓋板を閉蓋した際、前記一対のウェッジブロックがそれぞれ前記ストッパー部を内側方向へ押し広げ、前記一対のラグをそれぞれ係止するように設けられていることを特徴とするフラットケーブルコネクタを提供する。
【考案の効果】
【０００７】
本考案によれば、フラットケーブルコネクタをプリセットされた位置に差し込み、蓋板を閉蓋すると、蓋板の片側が、フラットケーブルを押圧すると共に、ウェッジブロックと留め具が連動し、フラットケーブルをフラットケーブルコネクタ内に係止させるため、フラットケーブルがしっかりと固定される。
【０００８】
また、留め具は、金属部材をプレスして製作されているため、構造が丈夫で容易に破損しない、留め具がウェッジブロックを挟持することで、蓋板が連接本体にしっかりと閉蓋される。  
【図面の簡単な説明】
【０００９】
【図１】本考案のフラットケーブルコネクタの立体分解図である。
【図２】本考案のフラットケーブルコネクタとフラットケーブルの立体図である。
【図３】本考案のフラットケーブルコネクタがフラットケーブルを収納した立体組合図である。
【図４】考案のフラットケーブルコネクタがフラットケーブルを収納した底面図である。
【図５】本考案のフラットケーブルコネクタがフラットケーブルを収納した正面図である。
【考案を実施するための形態】
【００１０】
以下、本考案の実施の形態を図面に基づいて説明する。なお、以下の説明は、例示にすぎず、本考案の範囲を制限するものではない。
【００１１】
図１〜図３は、それぞれ本考案のフラットケーブルコネクタの立体分解図及び立体組合図である。
【００１２】
コネクタ構造１００は、接続座体１１０、蓋板１２０、複数の端子１３０及び接続座体１１０の両側に固定され、前方へ伸びた一対の留め具１４０を有し、フラットケーブル２００と電気的に接続、固定する。
【００１３】
フラットケーブル２００の両側には、ぞれぞれ突出したラグ２１０が設けられ、底部には、複数の導線（図示せず）が露出している。
【００１４】
また、フラットケーブルコネクタ１００のフラットケーブル２００側を前端と定義する。
【００１５】
接続座体１１０は、本体部１１２、本体部１１２の底部から前方へ伸びた延伸部１１３、及び本体部１１２の両側に設けられた一対の収納スロット１１５が備わり、本体部１１２は、縦方向にその内部を貫通してなる複数の端子スロット１１２０が設けられている。
【００１６】
また、本実施例における接続座体１１０は、本体部１１２の両側から前方へ伸びた一対の側壁１１４、及び延伸部１１３から上方へ突出した一対のガイド部１１６が設けられ、一対の収納スロット１１５は一対の留め具１４０を嵌入させるためのものであり、それぞれ一対の側壁１１４、及び一対のガイド部１１６の間に設けられている。また、フラットケーブル２００を位置づけさせるため、ガイド部１１６の形状は、フラットケーブル２００のラグ２１０の形状に合わせて形成されている。
【００１７】
蓋板１２０は、両側の底部から外側方向へ伸びた一対のシャフト１２１、及び底部から下方へ突出した一対のウェッジブロック１２２を有し、一対のシャフト１２１は接続座体１１０に回動可能に取りつけられる。ウェッジブロック１２２には、それぞれ内側向きの斜面１２２２が設けられている。また、蓋板１２０の底部には複数の軸孔１２３が設けられている。  
【００１８】
複数端子１３０は、溶接部１３２、上側フォーク部１３４、下側フォーク部１３６を有し、本体部１１２の端子スロット１１２０内に収容される。
【００１９】
上側フォーク部１３４と下側フォーク部１３６は、それぞれ溶接部１３２から前方へ延伸して設けられている。
【００２０】
上側フォーク部１３４は、蓋板１２０の軸孔１２３に嵌入され、蓋板１２０を接続座体１１０上に支持する。
【００２１】
また、下側フォーク部１３６とフラットケーブル２００の底面の導線は電気的に接続される。  
【００２２】
一対の留め具１４０は、金属部材をプレス加工して製作され、各留め具１４０は、それぞれ保持アーム１４２、及び保持アーム１４２から延伸されたストッパー部１４４を有し、保持アーム１４２は、本体部１１２の収納スロット１１５内に嵌入固定される。  
【００２３】
フラットケーブル２００をフラットケーブルコネクタ１００のプリセットされた位置に設置し（図３に示す）、蓋板１２０を閉蓋した際、一対のウェッジブロック１２２は、それぞれストッパー部１４４を一対のラグ２１０の末端に当接するまで押し広げるように設けられている。これによりラグ２１０が係止される。
【００２４】
また、フラットケーブル２００が蓋板１２０に下方向へ押さえつけられると共に、一対のラグ２１０がストッパー部１４４によりそれぞれ係止されるため、フラットケーブルコネクタ１００内にしっかりと固定されるようになる。  
【００２５】
以下に、留め具１４０を詳しく説明する。
【００２６】
一対の留め具１４０は、保持アーム１４２の底縁から外側へ伸びた溶接固定部１４３が設けられ、溶接固定部１４３は、接続座体１１０の側壁１１４の下方に位置するよう設けられる。
【００２７】
本実施例における、側壁１１４の底部には、溶接固定部１４３を収納するための切り溝１１４０が更に設けられており、溶接固定部１４３が電子回路基板（図示せず）に溶接されることによって、フラットケーブルコネクタがしっかりと電子回路基板に固定されるようになる。
【００２８】
また、本実施例における、溶接固定部１４３は、その外縁から上方へ伸びた垂直バンプ１４３２、及び垂直バンプ１４３２両側の底部に設けられる一対の切込み１４３４を有し、垂直バンプ１４３２によって、溶接固定部１４３が側壁１１４の底面を挟持し、一対の切込み１４３４は、垂直バンプ１４３２の両端にはんだ固定が可能なように設けられている。
【００２９】
以下に、留め具１４０のストッパー部１４４を詳しく説明する。
【００３０】
ストッパー部１４４は、保持アーム１４２から延伸した基部１４４２、基部１４４２の上部縁から内側へ伸びた曲り部１４４４、Ｌ形をなして曲り部１４４４から水平に内側へ伸びた弾性アーム１４４６、及び弾性アーム１４４６の末端から下方へ伸びた仕切り板１４４８を有し、曲り部１４４４と弾性アーム１４４６の間にスペース１４４５が形成されている。
【００３１】
蓋板１２０を閉蓋したとき、ウェッジブロック１２２がスペース１４４５へ挟入され、斜面１２２２が仕切り板１４４８を内側へ押動するように設けられている。  
【００３２】
図４と図５はそれぞれ、本考案のフラットケーブルコネクタの蓋板を閉蓋した際の底面図と正面図である。
【００３３】
ウェッジブロック１２２は、弾性アーム１４４６を内側へ押し広げることにより、仕切り板１４４８がラグ２１０を係止する。これによりフラットケーブル２００がフラットケーブルコネクタ１００内に固定される。  
【符号の説明】
【００３４】
１００…フラットケーブルコネクタ  
１１０…接続座体  
１１２…本体部            
１１３…延伸部    
１１２０…端子スロット  
１１４…側壁                
１１４０…切り溝      
１１５…収納スロット              
１１６…ガイド部  
１２０…蓋板    
１２１…シャフト                
１２２…ウェッジブロック    
１２２２…斜面                
１２３…軸孔      
１３０…端子      
１３２…溶接部              
１３４…上側フォーク部  
１３６…下側フォーク部    
１４０…留め具    
１４２…保持アーム              
１４３…溶接固定部    
１４３２…垂直バンプ            
１４３４…切込み      
１４４…ストッパー部              
１４４２…基部      
１４４４…曲り部              
１４４５…スペース      
１４４６…弾性アーム              
１４４８…仕切り板      
２００…フラットケーブル      
２１０…ラグ      
【図１】
0003161715.tif 000003
【図２】
0003161715.tif 000004
【図３】
0003161715.tif 000005
【図４】
0003161715.tif 000006
【図５】
0003161715.tif 000007